(57)【要約】【課題】ネット通販などで発注される小型物品を、自動で、簡便な構成で、経済的に実行することができる梱包装置を提供すること。【解決手段】小型物品の梱包装置であって、熱溶着可能なシート状部材を巻き回した状態の一対のシート状部材ロールと、搬送方向と直角方向の、複数のシート状部材の重なり部分の熱溶着を行う第一の熱溶着手段と、第一の熱溶着手段によって溶着された後のシート状部材を切断する第一の切断手段と、搬送方向と平行な方向の、複数のシート状部材の重なり部分の熱溶着を行う第二の熱溶着手段と、第二の熱溶着手段によって溶着された後のシート状部材の、搬送方向と平行な両側の熱溶着された部分より外側の部分を切断する第二の切断手段とを有することを特徴とする。【選択図】図１Ａ
2020138803.tif 000002
【特許請求の範囲】
【請求項１】
−内容物を略水平状態で搬送する第一の搬送手段と、
−熱溶着可能なシート状部材を巻き回した状態の、装置の上方と下方とに設けられた一対のシート状部材ロールと
−前記第一の搬送手段の下流側に、前記シート状部材が通過可能な間隔を隔てて配置され、内容物を略水平状態で搬送する第二の搬送手段と、
−前記第二の搬送手段の位置に設けられ、搬送方向と直角方向の、複数の前記シート状部材の重なり部分の熱溶着を行う第一の熱溶着手段と、
−前記第二の搬送手段の位置に設けられ、前記第一の熱溶着手段によって溶着された後の前記シート状部材を切断する第一の切断手段と、
−前記第一の熱溶着手段より下流側に設けられ、搬送方向と平行な方向の、複数の前記シート状部材の重なり部分の熱溶着を行う第二の熱溶着手段と、
−前記第一の切断手段より下流側に設けられ、前記第二の熱溶着手段によって溶着された後の前記シート状部材の、搬送方向と平行な両側の熱溶着された部分より外側の部分を切断する第二の切断手段とを有し、
ａ）上方のロールから引き出された前記シート状部材の下端と下方のロールから引き出された前記シート状部材の上端とが予め接続された状態で、
ｂ）前記第一の搬送手段が前記内容物を前記シート状部材に当接させ、更に前記第二の搬送手段に受け渡すように下流側に搬送し、
ｃ）前記第二の搬送手段が、前記シート状部材が前記内容物を覆うように下流側に前記内容物を搬送し、
ｄ）前記第一の熱溶着手段が、前記内容物を覆った状態の前記シート部材の下流側端部を熱溶着し、
ｅ）前記第一の切断手段が、下流側端部の熱溶着された部分を切断し、
ｆ）前記第二の熱溶着手段が、搬送方向と平行な方向の、前記内容物より外側の複数の前記シート状部材の重なり部分を熱溶着し、
ｇ）前記第二の切断手段が、前記第二の熱溶着手段によって溶着された後の前記シート状部材の、搬送方向と平行な両側の熱溶着された部分より外側の部分を切断する
ことを特徴とする小型物品の梱包装置。
【請求項２】
前記シート状部材の使用寸法を測定するシート状部材使用寸法測定手段を有することを特徴とする請求項１に記載の小型物品の梱包装置。
【請求項３】
前記第一の搬送手段と、前記第二の搬送手段と、前記第三の搬送手段とが分割可能であることを特徴とする請求項１に記載の小型物品の梱包装置。
【請求項４】
前記一対のシート状部材ロールが、前記第一の搬送手段の上方及び下方に配置されることを特徴とする請求項１に記載の小型物品の梱包装置。
【請求項５】
（旧請求項２）
前記第一の搬送手段上で前記内容物に表示された一次元コードもしくは二次元コードを読み取る読取手段と、前記読取手段で読み取られた移動先に関するデータに基づいて前記梱包体に前記移動先を印刷する印刷手段とを備えたことを特徴とする請求項１に記載の小型物品の梱包装置。
【請求項６】
（旧請求項３）
前記データに基づく移動先が前記梱包体に印刷されたか否か、前記梱包体の荷姿が正常か否かを撮像する撮像手段を備えたことを特徴とする請求項１に記載の小型物品の梱包装置。
【請求項７】
（旧請求項４）
前記切断手段のうちの搬送方向に沿って切断する切断手段及び前記熱溶着手段のうちの搬送方向に沿って熱溶着する熱溶着部は、搬送方向と直交する方向に所定のピッチで移動させる移動手段を備えたことを特徴とする請求項１に記載の小型物品の梱包装置。
【請求項８】
（旧請求項５）
前記熱溶着手段は、前記シート状部材の上流側及び前記内容物の搬送方向に対する左右両側を別々に熱溶着し、前記切断手段は、前記シート状部材の上流側及び前記内容物の搬送方向に対する左右両側を別々に切断するようにしたことを特徴とする請求項１に記載の小型物品の梱包装置。
【請求項９】
（旧請求項６）
前記熱溶着手段は、前記シート状部材の上流側及び前記内容物の搬送方向に対する左右両側を同時に熱溶着し、前記切断手段は、前記シート状部材の上流側及び前記内容物の搬送方向に対する左右両側を同時に切断するようにしたことを特徴とする請求項１に記載の小型物品の梱包装置。
【請求項１０】
（旧請求項７）
前記切断手段及び前記熱溶着手段は、前記内容物のサイズに合わせて着脱自在に交換可能であることを特徴とする請求項８または９に記載の小型物品の梱包装置。
【請求項１１】
−内容物を略水平状態で搬送する第一の搬送手段と、
−熱溶着可能なシート状部材を巻き回した状態の、装置の上方と下方とに設けられた一対のシート状部材ロールと、
−前記第一の搬送手段の下流側に、前記シート状部材が通過可能な間隔を隔てて配置され、内容物を略水平状態で搬送する第二の搬送手段Ａと、
−前記第二の搬送手段Ａの位置に設けられ、搬送方向と直角方向の、複数の前記シート状部材の重なり部分の熱溶着を行う第一の熱溶着手段と、
−前記第二の搬送手段Ａの位置に設けられ、前記第一の熱溶着手段によって溶着された後の前記シート状部材を切断する第一の切断手段と、
−前記第二の搬送手段Ａの位置に設けられ、前記シート状部材の熱溶着部分を把持して略水平方向に牽引する第一の把持牽引手段と、
−前記第二の搬送手段Ａの下流側に設けられ、内容物を略水平状態で搬送する第二の搬送手段Ｂと
−前記第二の搬送手段Ｂに設けられ、搬送方向と平行な方向の、複数の前記シート状部材の重なり部分の熱溶着を行う第二の熱溶着手段と、
−前記第二の搬送手段Ｂに設けられ、前記第二の熱溶着手段によって溶着される前記シート状部材の、搬送方向と平行な両側の熱溶着される部分より外側の部分を切断する第二の切断手段と、
−前記シート状部材で覆われた内容物を前記第二の搬送手段Ａから前記第二の搬送手段Ｂへと渡すように設けられ、前記シート状部材の熱溶着部分を把持して略水平方向に牽引する第二の把持牽引手段と、
を有し、
ａ）上方のロールから引き出された前記シート状部材の下端と下方のロールから引き出された前記シート状部材の上端とが予め接続された状態で、
ｂ）前記第一の搬送手段が前記内容物を前記シート状部材に当接させ、更に前記第二の搬送手段に受け渡すように下流側に搬送し、
ｃ）前記第二の搬送手段が、前記シート状部材が前記内容物を覆うように下流側に前記内容物を搬送し、
ｄ）前記第一の把持牽引手段が、内容物の下流側への搬送に同期して、前記シート状部材の熱溶着された部分を把持して、前記シート状部材が内容物を覆った状態での、前記シート状部材の下流端部が前記第一の熱溶着手段の位置に来るように牽引し、
ｅ）前記第一の熱溶着手段が、前記内容物を覆った状態の前記シート部材の下流側端部を熱溶着し、
ｆ）前記第一の切断手段が、下流側端部の熱溶着された部分を切断し、
ｇ）前記第二の搬送手段Ａが、前記シート状部材で覆われた内容物を前記第二の搬送手段Ｂに送り込み、
ｈ）前記第二の把持牽引手段が、前記シート状部材で覆われた内容物の下流側への搬送に同期して、前記シート状部材の熱溶着された下流端部を前記第二の熱溶着手段の位置へと牽引し、
ｉ）前記第二の熱溶着手段が、搬送方向と平行な方向の、前記内容物より外側の複数の前記シート状部材の重なり部分を熱溶着し、
ｇ）前記第二の切断手段が、前記第二の熱溶着手段によって溶着される前記シート状部材の、搬送方向と平行な両側の熱溶着される部分より外側の部分を切断する
ことを特徴とする小型物品の梱包装置。
【請求項１２】
前記シート状部材の使用寸法を測定するシート状部材使用寸法測定手段を有することを特徴とする請求項１１に記載の小型物品の梱包装置。
【発明の詳細な説明】
【技術分野】
【０００１】  本発明は、主にインターネット通販などで発送される小型物品を梱包するための梱包装置に関する。
【背景技術】
【０００２】  インターネット通販の拡大に伴い、小型の物品（書籍、サプリメントなど）の注文及びそれらの梱包（あるいは包装）業務が飛躍的に増大しているが、取り扱う物品が小さいことから、輸送上の安全性を維持した上で、配送料金を低廉に抑えるため、通常の物品の梱包とは異なる技術が必要となっている。【０００３】  そこで、二層構造で内側が熱溶着可能な素材、外側が熱溶着しない素材のシート状部材を両側から（例えば上方からと下方から）供給し、予め両側からのシート状部材の先端同士を溶着しておき、それに向かって小型の物品を進行させ、物品の全面（上面と下面）が包まれたら、後端部分を溶着し、切断する装置が実用化されている。【０００４】  例えば、特許文献１に記載の発明は、書籍等をエアキャップ付きクラフト封筒に入れて包装する作業を自動化することを課題としたもので、先端部を予め溶着した２枚のエアキャップ付きクラフト紙の中間に書籍をはさみ、プッシャ２で後方から押し出すと同時にクランプ装置４で前方から引き寄せ、書籍がクラフト紙に覆われた位置から所定幅通過したところで両脇と末端部分を溶着装置５で溶着し、末端部中央を切断して包装された書籍を排出装置３１から排出し、残った溶着部を次の包装の先端部として使用する自動包装装置（梱包装置）の技術思想が開示されている。【０００５】  このような技術を用いた自動包装装置は、プッシャ装置で後方から被包装物を押し出すと同時に前方からエアキャップ付きクラフト紙の先端を引き寄せるので、被包装物の押す力だけでクラフト紙を引き出さなくてよいので、腰の弱い被包装物でも折れ曲がったりすることなしに包装され、自動包装の効率ならびに品質を向上させることができるという効果を奏する。
【先行技術文献】
【特許文献】
【０００６】
【特許文献１】特開２００４−２６１６０
【発明の概要】
【発明が解決しようとする課題】
【０００７】  しかしながら、特許文献１に記載の技術では、その図１に記載のように、２巻のエアキャップ付きクラフト紙を供給する上下一対のリール１のうち、下方にあるリール１ｂは装置の入口部分の搬送路の下方に収容されているが、上方にあるリール１ａは包装動作が行われる機構部の上方に設けられているため、装置の全体、特に高さが大きくなるという問題があった。【０００８】  同様に、装置全体が一体で構成されているため、使用する場所にそのまま搬入することは困難で大型の重機を必要とするか、工場出荷時に分解し使用する場所で再組立する必要があり、費用と時間がかかり、煩雑であるという問題もあった。【０００９】  また、装置全体が一体で構成されていることから、装置の一部の機能の性能が向上した場合でも、その部分の入れ替えは容易ではなく、最新の技術性能を享受することが難しいという問題もあった。【００１０】  更に、包装の出来上がりの状態（美麗さ）は、梱包を依頼する業者にとっては、受け取る顧客の印象などから極めて重要な要素であるが、特許文献１に記載の技術では、被包装物が包装された状態で、両脇と末端部分を溶着装置５で溶着するものの、切断するのは末端部中央のみであることから、両脇は処理されておらず、出来上がりが美麗とは言えないという問題点もあった。【００１１】  なお、不要な両脇部分を切断しない場合は、外形寸法で料金が計算されるため、梱包を依頼する業者に不利益を与えるという問題点もある。【００１２】  また、特許文献１には、先端部を予め溶着した２枚のエアキャップ付きクラフト紙の中間に被包装物をはさみ、プッシャ２で後方から押し出すと同時にクランプ装置４で前方から引き寄せるという技術思想が開示されているが、クランプ装置４が単一のため、被包装物を受け取る場所（起点）から、最終的に包装が終了して排出する場所（終点）まで、長い距離を引っ張る（牽引する）必要があり、また、牽引が完了したら長い距離を起点まで戻し、次の被包装物に対応することになるため、タクトタイム（あるいはサイクルタイム）が長くなり、全体の処理能力を向上させることができないという問題点がある。【００１３】  また、特許文献１に記載はないが、このような装置の運用を行う業者にとっては、装置提供会社が供給する、消耗品であるリールに巻かれたシート状部材（エアキャップ付きクラフト紙）の費用負担が大きく、通常は、リールに巻かれたシート状部材を購入して使用する。その際に費用負担を軽減するため、大量に一括購入することが通例であり、広い保管場所を必要とするという問題点もある。【００１４】  本発明はこうした従来技術上の問題点を解決することを企図したものであり、ネット通販などで発注される小型物品を、自動で、簡便な構成で、経済的に実行することができる梱包装置を提供することを課題とする。
【課題を解決するための手段】
【００１５】  上記課題を解決するため、本発明の第一の態様は、小型物品の梱包装置であって、
−内容物を略水平状態で搬送する第一の搬送手段と、
−熱溶着可能なシート状部材を巻き回した状態の、装置の上方と下方とに設けられた一対のシート状部材ロールと、
−前記第一の搬送手段の下流側に、前記シート状部材が通過可能な間隔を隔てて配置され、内容物を略水平状態で搬送する第二の搬送手段と、
−前記第二の搬送手段の位置に設けられ、搬送方向と直角方向の、複数の前記シート状部材の重なり部分の熱溶着を行う第一の熱溶着手段と、
−前記第二の搬送手段の位置に設けられ、前記第一の熱溶着手段によって溶着された後の前記シート状部材を切断する第一の切断手段と、
−前記第一の熱溶着手段より下流側に設けられ、搬送方向と平行な方向の、複数の前記シート状部材の重なり部分の熱溶着を行う第二の熱溶着手段と、
−前記第一の切断手段より下流側に設けられ、前記第二の熱溶着手段によって溶着された後の前記シート状部材の、搬送方向と平行な両側の熱溶着された部分より外側の部分を切断する第二の切断手段とを有し、
ａ）上方のロールから引き出された前記シート状部材の下端と下方のロールから引き出された前記シート状部材の上端とが予め接続された状態で、
ｂ）前記第一の搬送手段が前記内容物を前記シート状部材に当接させ、更に前記第二の搬送手段に受け渡すように下流側に搬送し、
ｃ）前記第二の搬送手段が、前記シート状部材が前記内容物を覆うように下流側に前記内容物を搬送し、
ｄ）前記第一の熱溶着手段が、前記内容物を覆った状態の前記シート部材の下流側端部を熱溶着し、
ｅ）前記第一の切断手段が、下流側端部の熱溶着された部分を切断し、
ｆ）前記第二の熱溶着手段が、搬送方向と平行な方向の、前記内容物より外側の複数の前記シート状部材の重なり部分を熱溶着し、
ｇ）前記第二の切断手段が、前記第二の熱溶着手段によって溶着された後の前記シート状部材の、搬送方向と平行な両側の熱溶着された部分より外側の部分を切断する
ことを特徴とする。【００１６】  このようにすると、内容物がシート状部材で覆われて下流端部及び両側部分が熱溶着されたもの（以下、梱包体と言う）の、下流端部だけではなく、両側の熱溶着された部分より外側の部分（いわば余分な不要部分）も切断するため、梱包体の配送料金計算の面からも有利になり、かつ、梱包体の仕上がりの外観も美麗となる。【００１７】  なお、シート状部材とは、二層以上の構造で内側が熱溶着可能、外側が非熱溶着性で、内側同士を熱溶着するものであって、外側はクラフト紙、段ボールなどの紙製が好適であるがプラスチックでもよい。内側は「プチプチ」（登録商標）のようなエアー緩衝材が好適であるが、緩衝機能がない、あるいは少ないものでもよい。更には、単層であって熱溶着性の高いものであってもよい。【００１８】  また、本発明の第二の態様は、本発明の第一の態様の小型物品の梱包装置であって、前記シート状部材の使用寸法を測定するシート状部材使用寸法測定手段を有することを特徴とする。【００１９】  シート状部材使用寸法測定手段としては、シート状部材の延伸経路に、シート状部材が接触して滑らずに回転するように設けた、外径が一定の測定用ロールの回転角度から算出する機構が望ましいが、シート状部材に予め付された寸法測定用マークを光学的に読み取る機構など、シート状部材の使用寸法、特に、幅方向が一定である場合の長さ方向が測定できるものであれば、どのような手段であってもよい。【００２０】  このようにすると、本発明の装置の提供会社は、装置の運用業者に対して、シート状部材の正確な使用寸法から算出したシート状部材の費用請求を行うようにすることができ、そのようにすれば、運用業者は、消費量に応じた費用負担をすればよいことになるので、シート状部材ロールを大量に一括購入する必要がなく、広い保管場所も不要となる。【００２１】  また、本発明の第三の態様は、本発明の第一の態様の小型物品の梱包装置であって、前記第一の搬送手段と、前記第二の搬送手段と、前記第三の搬送手段とが分割可能であることを特徴とする。【００２２】  このようにすると、装置全体を三分割することができ、工場出荷、輸送、及び現地組み立てが容易となる。【００２３】  また、将来、三分割した一部分に新たな技術革新による優れた機能が実用化された場合には、その部分のみを入れ替えれば、最新の技術を享受できるという利点もある。【００２４】  また、本発明の第四の態様は、本発明の第一の態様の小型物品の梱包装置であって、前記一対のシート状部材ロールが、前記第一の搬送手段の上方及び下方に配置されることを特徴とする。【００２５】  このようにすると、一対のシート状部材ロールが、第一の搬送手段の上方と下方に設けられており、一方、熱溶着手段と切断手段は第二の搬送手段の位置に設けられているため、装置全体の高さは低く抑えられ、装置の小型化が実現している。【００２６】  また、本発明の第五の態様は、本発明の第一の態様の小型物品の梱包装置において、前記第一の搬送手段の位置に設けられ、前記内容物に表示された一次元コードもしくは二次元コードを読み取る読取手段と、前記読取手段で読み取られた移動先に関するデータに基づいて前記梱包体に前記移動��を印刷する印刷手段とを備えたことを特徴とする。【００２７】  このようにすると、内容物に表示された一次元コードもしくは二次元コードを読み取って得られた移動先を梱包体に印刷することで移動先の誤記が防止される。【００２８】  また、本発明の第六の態様は、本発明の第一の態様の小型物品の梱包装置において、前記データに基づく移動先が前記梱包体に印刷されたか否か、前記梱包体の荷姿が正常か否かを撮像する撮像手段を備えたことを特徴とする。【００２９】  このようにすると、撮像手段を備えることで工場の内外で内容物の梱包の様子を把握することが可能となる。撮像手段の数を複数として搬送手段ごとに配置することでより確実に内容物の梱包の様子を把握することができる。【００３０】  また、本発明の第七の態様は、本発明の第一の態様の小型物品の梱包装置において、前記切断手段のうちの搬送方向に沿って切断する切断手段及び前記熱溶着手段のうちの搬送方向に沿って熱溶着する熱溶着部は、搬送方向と直交する方向に所定のピッチで移動させる移動手段を備えたことを特徴とする。【００３１】  このようにすると、切断装置及び熱溶着装置を搬送方向と直交する方向に所定のピッチで移動させることにより、内容物の大きさに応じて内容物と熱溶着シートとの間の隙間を最小限にすることができる。【００３２】  また、本発明の第八の態様は、本発明の第一の態様の小型物品の梱包装置において、前記熱溶着手段は、前記シート状部材の上流側及び前記内容物の搬送方向に対する左右両側を別々に熱溶着し、前記切断手段は、前記シート状部材の上流側及び前記内容物の搬送方向に対する左右両側を別々に切断するようにしたことを特徴とする。【００３３】  このようにすると、シート状部材の上流側及び内容物の搬送方向に対する左右両側を別々に熱溶着し、熱溶着した部分を別々に切断することにより、内容物のサイズに合わせてきめ細かく微調整ができる。【００３４】  また、本発明の第九の態様は、本発明の第一の態様の小型物品の梱包装置において、前記熱溶着手段は、前記シート状部材の上流側及び前記内容物の搬送方向に対する左右両側を別々に熱溶着し、前記切断手段は、前記シート状部材の上流側及び前記内容物の搬送方向に対する左右両側を同時に切断するようにしたことを特徴とする。【００３５】  このようにすると、シート状部材の上流側及び内容物の搬送方向に対する左右両側を同時に熱溶着し、熱溶着した部分を同時に切断することにより、微調整することなく効率的に梱包できる。【００３６】  また、本発明の第十の態様は、本発明の第八または第九の態様の小型物品の梱包装置において、前記熱溶着手段及び前記切断手段は、前記内容物のサイズに合わせて着脱自在に交換可能であることを特徴とする。【００３７】  このようにすると、内容物のサイズに応じた効率的な処理が可能となる。【００３８】  また、先に述べた課題を解決するため、本発明の第十一の態様は、小型物品の梱包装置であって、
−内容物を略水平状態で搬送する第一の搬送手段と、
−熱溶着可能なシート状部材を巻き回した状態の、装置の上方と下方とに設けられた一対のシート状部材ロールと、
−前記第一の搬送手段の下流側に、前記シート状部材が通過可能な間隔を隔てて配置され、内容物を略水平状態で搬送する第二の搬送手段Ａと、
−前記第二の搬送手段Ａの位置に設けられ、搬送方向と直角方向の、複数の前記シート状部材の重なり部分の熱溶着を行う第一の熱溶着手段と、
−前記第二の搬送手段Ａの位置に設けられ、前記第一の熱溶着手段によって溶着された後の前記シート状部材を切断する第一の切断手段と、
−前記第二の搬送手段Ａの位置に設けられ、前記シート状部材の熱溶着部分を把持して略水平方向に牽引する第一の把持牽引手段と、
−前記第二の搬送手段Ａの下流側に設けられ、内容物を略水平状態で搬送する第二の搬送手段Ｂと
−前記第二の搬送手段Ｂに設けられ、搬送方向と平行な方向の、複数の前記シート状部材の重なり部分の熱溶着を行う第二の熱溶着手段と、
−前記第二の搬送手段Ｂに設けられ、前記第二の熱溶着手段によって溶着される前記シート状部材の、搬送方向と平行な両側の熱溶着される部分より外側の部分を切断する第二の切断手段と、
−前記シート状部材で覆われた内容物を前記第二の搬送手段Ａから前記第二の搬送手段Ｂへと渡すように設けられ、前記シート状部材の熱溶着部分を把持して略水平方向に牽引する第二の把持牽引手段と、
を有し、
ａ）上方のロールから引き出された前記シート状部材の下端と下方のロールから引き出された前記シート状部材の上端とが予め接続された状態で、
ｂ）前記第一の搬送手段が前記内容物を前記シート状部材に当接させ、更に前記第二の搬送手段に受け渡すように下流側に搬送し、
ｃ）前記第二の搬送手段が、前記シート状部材が前記内容物を覆うように下流側に前記内容物を搬送し、
ｄ）前記第一の把持牽引手段が、内容物の下流側への搬送に同期して、前記シート状部材の熱溶着された部分を把持して、前記シート状部材が内容物を覆った状態での、前記シート状部材の下流端部が前記第一の熱溶着手段の位置に来るように牽引し、
ｅ）前記第一の熱溶着手段が、前記内容物を覆った状態の前記シート部材の下流側端部を熱溶着し、
ｆ）前記第一の切断手段が、下流側端部の熱溶着された部分を切断し、
ｇ）前記第二の搬送手段Ａが、前記シート状部材で覆われた内容物を前記第二の搬送手段Ｂに送り込み、
ｈ）前記第二の把持牽引手段が、前記シート状部材で覆われた内容物の下流側への搬送に同期して、前記シート状部材の熱溶着された下流端部を前記第二の熱溶着手段の位置へと牽引し、
ｉ）前記第二の熱溶着手段が、搬送方向と平行な方向の、前記内容物より外側の複数の前記シート状部材の重なり部分を熱溶着し、
ｇ）前記第二の切断手段が、前記第二の熱溶着手段によって溶着される前記シート状部材の、搬送方向と平行な両側の熱溶着される部分より外側の部分を切断する
ことを特徴とする。【００３９】  なお、この態様の小型物品の梱包装置は、これまでの態様の梱包装置とは異なり、内容物を覆う前のシート状部材、または、内容物を覆った後のシート状部材を把持して牽引する把持牽引手段を設けたことを大きな特徴とする。【００４０】  また、第一の把持牽引手段と第一の熱溶着手段と第一の切断手段とを含む、第二の搬送手段Ａの上に設けられるステージと、第二の把持牽引手段と第二の熱溶着手段と第二の切断手段とを含む、第二の搬送手段Ｂの上に設けられるステージとに分かれて構成される。【００４１】  ここで、第二の搬送手段Ａと第一の把持牽引手段とによるシート状部材及びシート状部材に突っ込んだ内容物の先端部（下流端部）の位置は、内容物の寸法（長さ）によって定められ、第一の熱溶着手段の位置が、内容物の後端部（上流端部）より、所定の寸法だけ離れた位置になるように決定される。【００４２】  同様に、第二の搬送手段Ｂと第二の把持牽引手段とによる内容物を覆ったシート状部材の先端部の位置は、内容物の寸法（長さ）によって定められ、第一の熱溶着手段の位置が、内容物の後端部より、所定の寸法だけ離れた位置になるように決定される。【００４３】  なお、第二の把持牽引手段の上流側起点は、第二の搬送手段Ａに食い込んで、第一の熱溶着手段及び第一の切断手段によってシート状部材の上流側端部が熱溶着及び切断される位置で、下流側端部を把持できる位置が好ましい。【００４４】  また、第一の熱溶着手段と第一の切断手段とは、内容物の位置の移動を行わず、同時または後者が若干遅れる程度の時間差で、動作が完了することが、処理能力上、好ましい。【００４５】  同様に、第二の熱溶着手段と第二の切断手段とも、内容物の位置の移動を行わず、同時または後者が若干遅れる程度の時間差で、動作が完了することが、処理能力上、好ましい。【００４６】  このようにすると、各々のステージにおける処理が短時間で完了することに加え、把持牽引部を設けることで、ベルトなどによる搬送部での滑りや失速の発生を抑え、迅速に、シート状部材またはシート状部材で覆われた内容部を移動することができる。【００４７】  更に、把持牽引部を、２カ所設けて、第一の熱溶着手段までの牽引と、第一の熱溶着手段から第二の熱溶着手段までの牽引とを分離したから、１カ所の場合に比べ、処理能力の大幅向上（タクトタイムの大幅減少）が可能となる。【００４８】  また、本発明の十二の態様は、本発明の第十一の態様の小型物品の梱包装置であって、前記シート状部材の使用寸法を測定するシート状部材使用寸法測定手段を有することを特徴とする。【００４９】  この場合、シート状部材使用長さ寸法測定手段は、第一の把持牽引手段の移動距離を測定することが好ましい。【００５０】  すなわち、第一の把持牽引手段の起点から終点までの移動距離の２倍に、所定の物品の厚さの分による加算や、熱溶着・切断における余裕分の加算を行ったものをシート状部材の使用長さとすることが、簡便で、かつ、正確である。【００５１】  なお、その寸法精度は、精緻とすることができ、例えば、１ｃｍ単位での積算が可能なようにすることができる。【００５２】  このようにすると、本発明の装置の提供会社は、装置��運用業者に対して、シート状部材の正確な使用寸法から算出したシート状部材の費用請求を行うようにすることができ、そのようにすれば、運用業者は、消費量に応じた費用負担をすればよいことになるので、シート状部材ロールを大量に一括購入する必要がなく、広い保管場所も不要となる。【００５３】  更に、装置の提供会社は、装置を販売するのではなく、装置を貸与するようにして、装置賃貸料と、消耗品使用量とを請求するような形態とすることも可能である。このようにすると、装置の提供会社は、装置が使用されている限り、日々、あるいは月々に定常的な売り上げが期待でき、一方、装置の運用会社は、高額な初期投資を必要とせず装置を運用することができ、お互いに経済的メリットが大きい。【００５４】  更に、運用会社は、利用者（物品発送元）に対しても、消耗品の使用量に見合う料金を請求する、あるいは、発送する物品１点あたりいくらというように料金を請求するなど、運用会社、利用者双方にメリットのある料金体系を構築することもできる。
【発明の効果】
【００５５】  本発明によれば、シート状部材を熱溶着し、その後、切断して小型物品を梱包する梱包装置において、上方及び下方のシート状部材ロールの配置を適切にしたこと、装置を３分割できるようにしたこと、熱溶着後に切断手段によって梱包体の画側の不要部分を切断できるようにしたこと、シート状ロールの寸法を測定して使用量を算出できるようにしたことなどから、ネット通販などで発注される小型物品の梱包を、自動で、簡便な構成で、経済的に実行することができる梱包装置を提供することができる。
【図面の簡単な説明】
【００５６】
【図１Ａ】本発明に係る情報処理システムの概念を説明するための平面図の一例である。
【図１Ｂ】図１Ａの正面図である。
【図２】図１Ａ及び図１Ｂに示した情報処理システムのハードウェアブロック図の一例である。
【図３】図１Ａ及び図１Ｂに示した情報処理システムの機能ブロック図の一例である。
【図４Ａ】図１Ａ及び図１Ｂに示した情報処理システムの動作を説明するためのフローチャートの一例の一部である。
【図４Ｂ】図４Ａの残りである。
【図５Ａ】図１Ａ及び図１Ｂに示した情報処理システムの動作中の各部の状態を示す説明図の一例である。
【図５Ｂ】図１Ａ及び図１Ｂに示した情報処理システムの動作中の各部の状態を示す説明図の一例である。
【図５Ｃ】図１Ａ及び図１Ｂに示した情報処理システムの動作中の各部の状態を示す説明図の一例である。
【図５Ｄ】図１Ａ及び図１Ｂに示した情報処理システムの動作中の各部の状態を示す説明図の一例である。
【図５Ｅ】図１Ａ及び図１Ｂに示した情報処理システムの動作中の各部の状態を示す説明図の一例である。
【図５Ｆ】図１Ａ及び図１Ｂに示した情報処理システムの動作中の各部の状態を示す説明図の一例である。
【図５Ｇ】図１Ａ及び図１Ｂに示した情報処理システムの動作中の各部の状態を示す説明図の一例である。
【図５Ｈ】図１Ａ及び図１Ｂに示した情報処理システムの動作中の各部の状態を示す説明図の一例である。
【図５Ｉ】図１Ａ及び図１Ｂに示した情報処理システムの動作中の各部の状態を示す説明図の一例である。
【図５Ｊ】図１Ａ及び図１Ｂに示した情報処理システムの動作中の各部の状態を示す説明図の一例である。
【図５Ｋ】図１Ａ及び図１Ｂに示した情報処理システムの動作中の各部の状態を示す説明図の一例である。
【図５Ｌ】図１Ａ及び図１Ｂに示した情報処理システムの動作中の各部の状態を示す説明図の一例である。
【図５Ｍ】図１Ａ及び図１Ｂに示した情報処理システムの動作中の各部の状態を示す説明図の一例である。
【図５Ｎ】図１Ａ及び図１Ｂに示した情報処理システムの動作中の各部の状態を示す説明図の一例である。
【図５Ｏ】図１Ａ及び図１Ｂに示した情報処理システムの動作中の各部の状態を示す説明図の一例である。
【図５Ｐ】図１Ａ及び図１Ｂに示した情報処理システムの動作中の各部の状態を示す説明図の一例である。
【図５Ｑ】図１Ａ及び図１Ｂに示した情報処理システムの動作中の各部の状態を示す説明図の一例である。
【図５Ｒ】図１Ａ及び図１Ｂに示した情報処理システムの動作中の各部の状態を示す説明図の一例である。
【図５Ｓ】図１Ａ及び図１Ｂに示した情報処理システムの動作中の各部の状態を示す説明図の一例である。
【図６Ａ】発明に係る情報処理システムの概念を説明するための平面図の一例である。
【図６Ｂ】図６Ａの正面図である。
【図７】図６Ａ、図６Ｂに示した情報処理システムのハードウェアブロック図の一例である。
【図８】図６Ａ、図６Ｂに示した情報処理システムの機能ブロック図の一例である。
【図９Ａ】図６Ｂに示した情報処理システムの動作を説明するためのフローチャートの一例の一部である。
【図９Ｂ】図９Ａの残りである。
【図１０Ａ】図６Ａ及び図６Ｂに示した情報処理システムの動作中の各部の状態を示す説明図の一例である。
【図１０Ｂ】図６Ａ及び図６Ｂに示した情報処理システムの動作中の各部の状態を示す説明図の一例である。
【図１０Ｃ】図６Ａ及び図６Ｂに示した情報処理システムの動作中の各部の状態を示す説明図の一例である。
【図１０Ｄ】図６Ａ及び図６Ｂに示した情報処理システムの動作中の各部の状態を示す説明図の一例である。
【図１０Ｅ】図６Ａ及び図６Ｂに示した情報処理システムの動作中の各部の状態を示す説明図の一例である。
【図１０Ｆ】図６Ａ及び図６Ｂに示した情報処理システムの動作中の各部の状態を示す説明図の一例である。
【図１０Ｇ】図６Ａ及び図６Ｂに示した情報処理システムの動作中の各部の状態を示す説明図の一例である。
【図１０Ｈ】図６Ａ及び図６Ｂに示した情報処理システムの動作中の各部の状態を示す説明図の一例である。
【図１０Ｉ】図６Ａ及び図６Ｂに示した情報処理システムの動作中の各部の状態を示す説明図の一例である。
【図１１】本発明の第十一の態様の一実施形態の構成の正面図である。
【発明を実施するための形態】
【００５７】＜第一の実施の形態＞
＜構成＞
＜概念図＞
第一の実施の形態について図面を参照して説明する。図１Ａは、本発明に係る情報処理システムの概念を説明するための平面図の一例であり、図１Ｂは、図１Ａの正面図である。
【００５８】  図１Ａ、図１Ｂにおいて、水平な搬送方向に沿って第一ベルトコンベア１０１、第二ベルトコンベア１０２、第三ベルトコンベア１０３、傾斜トレー１２７、及び収容部１２８が配置されている。
【００５９】  第一ベルトコンベア１０１の上には内容物５１ａと内容物５１ｂとが重畳されており、内容物５１の上に一次元コード（バーコード）が表記されたデータシート５２が載置されている。第一ベルトコンベア１０１の上にはデータシート５２の一次元コードを読み取るバーコードリーダー１１１が配置されている。バーコードリーダー１１１は、一次元コードの読み取りに限定されるものではなく、二次元コード（例えば、ＱＲコード（登録商標））を読み取るように構成されていてもよい。
【００６０】  第一ベルトコンベア１０１もしくは第二ベルトコンベア１０２の上方には、熱溶着可能なシート状部材６１ｕがロール状に巻き回されたシート状部材ロール６１ｕＬが配置されている。第一ベルトコンベア１０１もしくは第二ベルトコンベア１０２の下方には、熱溶着可能なシート状部材６１ｄがロール状に巻き回されたシート状部材ロール６１ｄＬが配置されている。上方のシート状部材ロール６１ｕＬから引き出されたシート状部材６１ｕの下端と下方のシート状部材ロール６１ｄＬから引き出されたシート状部材６１ｄの上端とが熱溶着により接続されている。シート状部材６１ｕ、６１ｄの接続部は第一ベルトコンベア１０１と第二ベルトコンベア１０２との間の隙間に鉛直に配置されている。すなわち、第一ベルトコンベア１０１と第二ベルトコンベア１０２とはシート状部材６１ｕ、６１ｄが通過可能な間隔が隔てられている。
【００６１】  なお、図示は略すが、上方からのシート状部材６１ｕ及び下方からのシート状部材６１ｄのそれぞれの延伸経路に、シート状部材６１ｕ、６１ｄが接触して滑らずに回転するように設けた、外径が一定の測定用ロールを設ける。
【００６２】  このロールの回転角度または回転数は、公知の角度または回転数測定機構によって測定でき、それによって、シート状部材６１ｕ、６１ｄの延伸長さ、すなわち、梱包時のシート状部材使用長さ（寸法）が測定できる。
【００６３】  なお、先に述べた測定用ロールは、上下どちらかのシート状部材６１のみを測定するようにしてもよい。概略では、その延伸長さの約２倍が、梱包時のシート状部材の使用長さと推定しうる。
【００６４】  シート状部材６１ｕ、６１ｄはそれぞれ別々の画像（人物画像、風景画像、商品画像等の包装紙デザイン）、もしくは無地が施されている。
【００６５】  第二ベルトコンベア１０２の上には第一切断部用の歯受け１１４、及び第二切断部用の歯受け１１７ａ、１１７ｂが配置されており、各歯受け１１４、１１７ａ、１１７ｂの真下を第二ベルトコンベア１０２の上側のベルトが移動するようになっている。
【００６６】  第二ベルトコンベア１０２の上方には上流側（図では左側）から下流側（この場合右側）に向かって第一熱溶着部１１２、第一切断部１１３、第二熱溶着部１１５ａ、１１５ｂ、及び第二切断部１１６ａ、１１６ｂがこの順で昇降部材１１５ａｄ、１１５ｂｄ、１１６ａｄ、１１６ｂｄによって昇降自在に配置されている。
【００６７】  第二熱溶着部１１５ａ、１１５ｂは、第二熱溶着部移動部３２７により搬送方向と直交する方向に移動可能である。第二熱溶着部移動部３２７は、例えば、第二ヒーター移動用モーター１４０、ギヤヘッド、カップリング、ボールねじ、及びリニアガイドによって構成されている。
【００６８】  第二切断部１１６ａ、１１６ｂは、第二切断部移動部３３３により搬送方向と直交する方向に移動可能である。第二切断部移動部３３３は、例えば、第二切断部移動用モーター１４１、ギヤヘッド、カップリング、ボールねじ、及びリニアガイドによって構成されている。
【００６９】  第二切断部受１１７ａ、１１７ｂは、第二切断部受移動部３３４により第二切断部１１６ａ、１１６ｂに同期して搬送方向と直交する方向に移動可能である。第二第二切断部受１１７ａ、１１７ｂは、例えば、第二切断部受移動部用モーター１４２、ギヤヘッド、カップリング、ボールねじ、及びリニアガイドによって構成されている。
【００７０】  尚、図１Ａでは第二ヒーター移動用モーター１４０、第二切断部移動用もーター１４１、及び第二切断部受移動用モーター１４２は、第二溶着部１１５ａ、第二切断部１１６ａ、及び第二切断部受１１７ａにしか示されていないが、第二溶着部１１５ｂ、第二切断部１１６ｂ、及び第二切断部受１１７ｂにも同様の機構が設けられており、第二溶着部１１５ａ、第二切断部１１６ａ、及び第二切断部受１１７ａと、第二溶着部１１５ｂ、第二切断部１１６ｂ、及び第二切断部受１１７ｂとは、互いに接近もしくは離反する方向に同一距離だけ移動できるようになっている。
【００７１】  第二熱溶着部１１５ａ、１１５ｂ、第二切断部１１６ａ、１１６ｂ、及び第二切断部受１１７ａ、１１７ｂは、一定のピッチ（１ｍｍ、２ｍｍ、３ｍｍ、５ｍｍ、１０ｍｍ、…）で移動させることができ、例えば、１８ｃｍ、２３ｃｍで梱包体５３の熱溶着部を切断した場合、その分の費用を顧客に請求することが可能である。
【００７２】  第一熱溶着部１１２は、昇降部材１１２ａにより昇降され、シート状部材６１ｕ、６１ｄを搬送方向と直交する方向に熱溶着する際に一定の幅（例えば、数ｃｍ）で溶着するようになっている。これは、切断後に一定の幅を有することで応力により梱包が開封するのを防止するためである。
【００７３】  第一切断部１１３は、第一切断部用歯受け１１４上にシート状部材６１ｕ、６１ｄの溶着部の中央が位置したときに昇降部材１１３ａによって降下することで熱溶着部を長い方の中心軸に沿って二つに分断するようになっている。
【００７４】  第二熱溶着部１１５ａ、１１５ｂは、第一切断部１１３の下流側に搬送方向に沿って内容物５１の両側に位置するように昇降自在に配置されている。第二熱溶着部１１５ａ、１１５ｂは、昇降部材１１５ａｄ、１１５ｂｄにより鉛直方向に沿って降下することで一定の幅（例えば、数ｃｍ）でシート状部材６１ｕ、６１ｄを熱溶着するようになっている。
【００７５】  第二切断部１１６ａ、１１６ｂは、第二熱溶着部１１５ａ、１１５ｂの下流側に配置された第二切断部用歯受け１１７に位置するように昇降部材１１６ａｄ、１１６ｂｄにより昇降自在に配置されている。第二切断部１１６ａ、１１６ｂは第二熱溶着部１１５ａ、１１５ｂにより熱溶着されたシート状部材６１ｕ、６１ｄの両端部の中央を切断することで余分なシート状部材６１ｕ、６１ｄを削除するようになっている。これにより封筒サイズや定型サイズに加工することができ、かつ見栄えが良くなる。
【００７６】  また、図１Ａの吹き出しに示すように第二切断部１１６ａ、１１６ｂの端部を内側にＲを付けたり斜めに曲げることにより、切断後の角部により手が切れたり、他の梱包体を傷つけたりすることを防止できる。
【００７７】  第二ベルトコンベア１０２及び第三ベルトコンベア１０３の上側にはカメラ１２０が配置されており内容物５１を内包する梱包体５３の荷姿を撮像し、得られた画像を解析しパターン認識することで内容物５１が曲がったりシート状部材６１ｕ、６１ｄからはみ出ていたりしていないか、梱包体５３が重なっていないか等の異常を監視することができる。異常を発見した場合にはシステムを停止するとともにパトライト１３０を点灯させるようになっている（スマートホンで監視することも可能である。）。尚、カメラ１２０は、図では１台であるが、本発明はこれに限定されるものではなく、複数のカメラを各部材の近傍に配置し、異常発生を監視するようにしてもよい。
【００７８】  第三ベルトコンベア１０３の上方には上流側から下流側に向かって掃出部１２１、吸着部１２３、昇降部１２４、１２５、押圧部材１２６、及びパトライト１３０が配置されている。尚、パトライト１３０の位置は、図では下流側であるが限定されるものではない。
【００７９】  １５０は、管理サーバーであり、情報処理システムを管理するものである。管理サーバー１５０は外部の機器から一次元コードもしくは二次元コードのデータを受け、データに基づく移動先が梱包体５３に印刷されたか否かを撮像手段からの画像で確認する管理サーバーである。
【００８０】  １６０は、操作表示部であり、カメラ１２０の画像、エラー表示、エラー発生個所、タッチパネルを含む。操作表示部１６０の位置もカメラ１２０の位置と同様に限定されない。
【００８１】  情報処理システムは、第一ベルトコンベア１０１から第三ベルトコンベア１０３までの一連の梱包処理を行う梱包装置を管理サーバー１５０で管理するシステムである。
【００８２】  図１Ｂに示すＰ１は第一熱溶着位置、Ｐ２は第一切断位置、Ｐ３は第二熱溶着位置、Ｐ４は第二切断位置、Ｐ５は印刷位置、及びＰ６は押圧位置を示す。
【００８３】  本システムは、第一搬送部系Ｐａ、第二搬送部系Ｐｂ、及び第三搬送部系Ｐｃの三つに分割が可能である。このような構造を有するため、工場出荷、輸送、及び現地組み立てが容易となる。
【００８４】  ＜ハードウェアブロック＞
図２は、図１Ａ及び図１Ｂに示した情報処理システムのハードウェアブロック図の一例である。
【００８５】  図２に示す情報処理システムは、ＣＰＵ（Ｃｅｎｔｒａｌ  Ｐｒｏｃｅｓｓｉｎｇ  Ｕｎｉｔ：中央情報処理装置）２０１、ＲＯＭ（Ｒｅａｄ  Ｏｎｌｙ  Ｍｅｍｏｒｙ：読み出し専用記憶装置）２０２、ＲＡＭ（Ｒａｎｄｏｍ  Ａｃｃｅｓｓ  Ｍｅｍｏｒｙ：読み書き可能な記憶装置）２０３ａ、ＳＳＤ（Ｓｏｌｉｄ  Ｓｔａｔｅ  Ｄｒｉｖｅ）２０３ｂ、バーコードリーダー１１１、コード読取回路２０４、カメラ１２０、画像解析回路２０５、印刷装置２０６、掃出部１２１、吸着部１２３、吸着機構用ポンプ２０８、昇降部１２４、吸着機構昇降用モーター２１０、昇降部１２４、吸着機構昇降機構用モーター２１０、昇降部材２１１、押圧部材昇降機用モーター２１２、第一ベルトコンベア用モーター２２２、第一ベルトコンベア１０１、第二ベルトコンベア用モーター２２４、第二ベルトコンベア１０２、第三ベルトコンベア用モーター２２６、第一ヒーター昇降機用モーター２２７、昇降部材、第一ヒーター駆動回路２２９、第一熱溶着部１１２、第一切断部昇降機用モーター２３２、第一切断部１１３、第二ヒーター昇降機用モーター２３４、昇降部材１１５ａｄ、１１５ｂｄ、第二ヒーター駆動回路２３５、第二熱溶着部１１５ａ、１１５ｂ、第二切断部昇降機用モーター２３８、昇降部材１１６ａｄ、１１６ｂｄ、通信回路２３９、警告回路２４０、パトライト１３０、第二ヒーター移動用モーター１４０、第二切断部移動用モーター１４１、第二切断部受移動用モーター１４２、及びバスライン２５０を有するシステムである。ＳＳＤ２０３ｂの代わりにＨＤＤ（Ｈａｒｄ  Ｄｉｓｃ  Ｄｒｉｖｅ）を用いてもよい。
【００８６】  ＣＰＵ２０１は、情報処理システムを統括制御、すなわち、命令を読み出し解読して実行する素子であり、例えばマイクロプロセッサが挙げられる。ＣＰＵ２０１は、ＲＯＭ２０２のどの位置から命令を読み出すかを示す番地が保存されているプログラムカウンタと、ＲＯＭ２０２から読み出した命令を解読する命令デコード回路と、算術演算や論理演算を行う演算回路と、一時的な情報を保存する内部レジスタとを有する素子である。
【００８７】  ＲＯＭ２０２は、情報処理システムの制御プログラムを記憶する素子であり、例えばマスクＲＯＭが用いられる。
【００８８】  ＲＡＭ２０３ａは、ＲＯＭ２０２に保存された制御プロブラムを展開するための素子であり、例えばフラッシュメモリが挙げられる。
【００８９】  ＳＳＤ２０３ｂは、一次元コードに関するデータ、顧客情報、指示情報、及び印刷記録情報等のデータを保存する装置である。
【００９０】  バーコードリーダー１１１は、一次元コードを読み取るセンサーであり、例えばＣＣＤ（Ｃｈａｒｇｅ  Ｃｏｕｐｌｅｄ  Ｄｅｖｉｃｅ：電荷結合素子）ラインセンサが挙げられる。
【００９１】  コード読取回路２０４は、バーコードリーダー１１１からの一次元コード読み取りデータから宛先情報、商品情報、差出人情報等の情報に変換する回路である。
【００９２】  カメラ１２０は、例えば、ＣＣＤ（Ｃｈａｒｇｅ  Ｃｏｕｐｌｅｄ  Ｄｅｖｉｃｅ：電荷結合素子）と光学系が用いられ、情報処理システムの各部を撮像してデジタル形式の画像信号に変換する装置である。
【００９３】  画像解析回路２０５は、カメラ１２０からの画像信号を解析して正常な画像や異常な画像と比較し、解析して異常を検知する回路である。
【００９４】  印刷装置２０６は、梱包体５３に貼り付けられる移動先表示シート５４（後述する図５Ｌ）に例えば梱包体５３が郵便物や宅配物の場合には宛先、商品情報、差出人、追跡番号用バーコード（各配送会社の送り状レイアウトに準ずる）、梱包体５３が陳列用の商品の場合には棚番号、段番号、列番号、追跡番号用バーコード等の移動先を印刷する回路であり、例えばインクジェットプリンタもしくは感熱プリンタが挙げられる。移動先表示シート５４の一方の主面（図１Ｂでは上側）に移動先が印刷されており、移動先表示シート５４の他方の主面（この場合下側）には粘着剤が塗布されている。移動先表示シート５４は、印刷前は、粘着剤は剥離シートで覆われているが、印刷後は剥離シートが除去されるようになっている。
【００９５】  吸着部１２３は、底面に形成された貫通孔から外気を吸入することで、印刷装置２０６によって印刷され、掃出部１２１により掃出されたシート２０６ａを一時的に保持する機構であり、吸着機構用ポンプ２０８で外気が吸入される。
【００９６】  吸着機構用ポンプ２０８は、例えば、真空ポンプもしくはベンチュリ―の法則に基づいて駆動するエアー駆動式真空発生器（アスピレータ）が挙げられる。
【００９７】  吸着機構昇降用モーター２１０は、吸着部１２３を鉛直方向に上下させる機構に用いられるモーターである。吸着機構昇降機構は、例えば、鉛直に配置されたリニアガイド、ボールねじ、カップリング、ギヤヘッド、及びモーター２１０で構成される。
【００９８】  押圧部材昇降機構用モーター２１２は、押圧部材（例えば、スポンジ）１２６を鉛直方向に上下させる機構用のモーターである。押圧部材昇降機構は、例えば、リニアガイド、ボールねじ、カップリング、ギヤヘッド、及びモーター２１２で構成される。
【００９９】  第一ベルトコンベア用モーター２２１は、第一ベルトコンベア機構用のモーターである。第一ベルトコンベア機構は、例えばベルトと、ローラーと、ギヤヘッドとを有し、モーター２２２によりベルトが搬送されるものである。
【０１００】  第二ベルトコンベア駆動機構２２３、第三ベルトコンベア駆動機構２２５も第一ベルトコンベア機構２２１と同様にそれぞれ、モーター２２４、２２６によりベルトが搬送されるようになっている。尚、第二ベルトコンベア機構のベルトは、熱溶着が行われるので、耐熱ベルトを用いるのが好ましい。
【０１０１】  第一ヒーター昇降機構用モーター２２７は、第一ヒーター昇降機構に用いられるモーターである。第一ヒーター昇降機構は、第一熱溶着部１１２を鉛直方向に上下させ、下死点が耐熱ベルトと接触する位置となるように設定された機構であり、例えば、鉛直に配置されたリニアガイド、ボールねじ、カップリング、ギヤヘッド、センサー及びモーター２２７で構成される。
【０１０２】  第一ヒーター駆動回路２２９は、例えば第一熱溶着部１１２の金属ブロックに内蔵されたヒーターに所定の電圧を印加することで加熱させ熱溶着性シートを熱溶着させる回路である。ヒーターの加熱温度や加熱時間は熱溶着シートを熱溶着できる程度であればよい。
【０１０３】  第一切断部昇降機構用モーター２３２は、第一切断部昇降機構用のモーターである。第一切断部昇降機構は、第一切断部１１３を鉛直方向に上下させ、下死点が歯受け１１４となるように設定されており、例えば、鉛直に配置されたリニアガイド、ボールねじ、カップリング、ギヤヘッド、センサー及びモーター２３２で構成される。
【０１０４】  第二ヒーター昇降機構用モーター２３４は、第二ヒーター昇降機構用のモーターである。第二ヒーター昇降機構は、第二熱溶着部１１５ａ、１１５ｂを鉛直方向に上下させ、下死点が耐熱ベルトと接触する位置となるように設定された機構であり、例えば、鉛直に配置されたリニアガイド、ボールねじ、カップリング、ギヤヘッド、センサー及びモーター２３４で構成される。
【０１０５】  第二ヒーター駆動回路２３５は、例えば第二熱溶着部１１５ａ、１１５ｂの金属ブロックにそれぞれ内蔵されたヒーターに所定の電圧を印加することで加熱させ熱溶着性シートを熱溶着させる回路である。ヒーターの加熱温度や加熱時間は熱溶着シートを熱溶着できる程度であればよい。
【０１０６】  第二切断部昇降機構用モーター２３８は、第二切断部昇降機構用のモーターである。第二切断部昇降機構は、第二切断部１１６ａ、１１６ｂを鉛直方向に上下させ、下死点が歯受け１１７ａ、１１７ｂとなるように設定されており、例えば、鉛直に配置されたリニアガイド、ボールねじ、カップリング、ギヤヘッド、センサー及びモーター２３８で構成される。
【０１０７】  シート状部材６ｕ、６ｄの熱溶着部は長尺状に形成される。各切断部は熱溶着部の直交する二つの中心線のうち長い方の中心線を切断する。
【０１０８】  通信回路２３９は、情報処理システムの外部の機器との間で顧客情報、宛先情報、商品情報、差出人情報を授受する回路である。
【０１０９】  警告回路２４０は、情報処理システムの動作中に異常が発生した場合に周囲の作業者に警告音や警告灯としてのパトライト１３０を作動させる回路である。
【０１１０】  第一搬送部系Ｐａは、第一ベルトコンベア１０１、バーコードリーダー１１１、及びロール６１ｕＬ、６１ｄＬを含む。
【０１１１】  第二搬送部系Ｐｂは、第二ベルトコンベア１０２、第一熱溶着部１１２、第一切断部１１３、昇降部材１１３ａ、歯受け１１４、昇降部材１１５ｂｄ、１１５ａｄ、第二熱溶着部１１５ａ、１１５ｂ、第二切断部１１６ａ、１１６ｂ、昇降部材１１６ａｄ、１１６ｂｄ、歯受け１１７ａ、１１７ｂ、第二ヒーター移動用モーター１４０、第二切断部移動用モーター１４１、第二切断部受移動用モーター１４２を含む。
【０１１２】  第三搬送部系Ｐｃは、第三ベルトコンベア１０３、掃出部１２１、吸着部１２３、昇降部１２４、１２５、押圧部材１２６を含む。
【０１１３】  これにより、工場出荷、輸送、及び現地組み立てが容易となり効率的な運用が可能である。
【０１１４】  本システムは、通信回路２３９を用いて外部の機器、例えばスマートホンのアプリケーションソフトウェアでカメラ１２０の画像である、梱包の様子を見ることができるようになっている。
【０１１５】  ＜機能ブロック＞
図３は、図１Ａ及び図１Ｂに示した情報処理システムの機能ブロック図の一例である。
【０１１６】  図３に示す情報処理システムは、通信部３０１、記憶部３０２、読取部３０３、印刷部３０４、吸着部３０５、貼付部３０６、撮像部３０７、押圧部３０８、警告部３０９、制御部３１０、第一搬送部３２１、第二搬送部３２２、第三搬送部３２３、第一熱溶着部昇降部３２４、第一熱溶着部加熱部３２５、第一切断部昇降部３２６、第二熱溶着部昇降部３２７、第二熱溶着部加熱部３２８、第二切断部昇降部３２９、管理部３３０、表示操作部３３１、第二熱溶着部移動部３３２、第二切断部移動部３３３、及び第二切断部受移動部３３４を有する。
【０１１７】  通信部３０１は、外部の機器と情報処理システムとの間で情報の授受を行うものであり、例えば図２に示した通信回路２３９によって実現される。
【０１１８】  記憶部３０２は、制御プログラム、一次元コードに関するデータ、顧客情報、指示情報、及び印刷記録情報等のデータを記憶するものであり、例えば、図２に示したＲＯＭ２０２、ＲＡＭ２０３ａ、及びＳＳＤ２０３ｂによって実現される。
【０１１９】  読取部３０３は、内容物５１の上に載置されたデータシート５２の一次元コード（バーコード）を読み取るものであり、例えば図２に示したバーコードリーダー１１１及びコード読取回路２０４によって実現される。
【０１２０】  印刷部３０４は、梱包体５３に貼り付けられる移動先表示シート５４（図５Ｌ）に移動先である宛先、商品名、差出人等を印刷するものであり、例えば図２に示した印刷装置２０６によって実現される。
【０１２１】  吸着部３０５は、移動先表示シート５４を梱包体５３に貼り付けるため一時的に吸着するものであり、例えば図２に示した吸着機構用ポンプ２０８及び吸着部１２３によって実現される。
【０１２２】  貼付部３０６は、吸着部１２３に一時的に吸着された移動先表示シート５４を梱包体５３に向けて降下させて貼り付けるものであり、例えば図２に示した吸着機構昇降機構用モーター２１０及び昇降部１２４によって実現される。
【０１２３】  撮像部３０７は、梱包体５３に異常が無いか否かを撮像するものであり、例えば、図２に示したカメラ１２０及び画像解析回路２０５によって実現される。
【０１２４】  押圧部３０８は、梱包体５３に貼り付けられた移動先表示シート５４を上から押し付けることで確実に移動先表示シート５４の粘着剤が梱包体５３に確実に貼り付けるようにするものであり、例えば図２に示した押圧部材昇降機構用モーター２１２及び押圧部材１２６によって実現される。
【０１２５】  警告部３０９は、情報処理装置に異常が発生した場合に周囲に報知するものであり、例えば図２に示した警告回路２４０によって実現される。
【０１２６】  制御部３１０は、情報処理システムを統括制御するものであり、例えば図２に示したＣＰＵ２０１、ＲＯＭ２０２、及びＲＡＭ２０３ａによって実現される。
【０１２７】  第一搬送部３２１は、内容物５１を第二搬送部３２２に向けた搬送するものであり、例えば図２に示した第一ベルトコンベア駆動用モーター２２２及び第一ベルトコンベア１０１によって実現される。
【０１２８】  第二搬送部３２２は、内容物５１をシート状部材６１ｕ及びシート状部材６１ｄで覆って熱溶着し、切断することで梱包体５３にするために第三搬送部３２３に向けて搬送するものであり、例えば図２に示した第二ベルトコンベア用モーター２２４及び第二ベルトコンベア１０２によって実現される。
【０１２９】  第三搬送部３２３は、梱包体５３に表示先表示シート５４を貼り付けし、収容部１２８に収納させるものであり、例えば図２に示した第三ベルトコンベア用モーター２２６及び第三ベルトコンベア１０３によって実現される。
【０１３０】  第一熱溶着部昇降部３２４は、シート状部材６１ｕ、６１ｄで覆われた内容物５１の上流側を熱溶着する熱溶着部を昇降させるものであり、例えば図２に示した第一ヒーター昇降機構用モーター２２７及び昇降部材１１３ａによって実現される。
【０１３１】  第一熱溶着部加熱部３２５は、シート状部材６１ｕ、６１ｄで覆われた内容物５１の上流側を熱溶着するものであり、例えば図２に示した第一ヒーター駆動回路２２９及び第一熱溶着部１１２によって実現される。
【０１３２】  第一切断部昇降部３２６は、内容物５１を覆ったシート状部材６１ｕ、６１ｄの上流側の熱溶着部を切断するものであり、例えば図２に示した第一切断部昇降機構用モーター２３２及び第一切断部１１３によって実現される。
【０１３３】  第二熱溶着部昇降部３２７は、内容物５１を覆ったシート状部材６１ｕ、６１ｄの両側の端部を溶着する第二熱溶着部加熱部３２８を鉛直方向に昇降させるものであり、例えば図２に示した第二ヒーター昇降機用モーター２３４及び昇降部材１１５ａｄ、１１５ｂｄによって実現される。
【０１３４】  第二熱溶着部加熱部３２８は、内容物５１を覆ったシート状部材６１ｕ、６１ｄの両側の端部を熱溶着するものであり、例えば図２に示した第二ヒーター駆動回路２３５及び第二熱溶着部によって実現される。
【０１３５】  第二切断部昇降部３２９は、内容物５１を覆ったシート状部材６１ｕ、６１ｄの両側の端部の熱溶着部を切断するものであり、例えば図２に示した第二切断部昇降機構用モーター２３８及び切断部１１６ａ、１１６ｂによって実現される。
【０１３６】  管理部３３０は、外部の機器から一次元コードもしくは二次元コードのデータを受け、データに基づく移動先が梱包体５３に印刷されたか否かを撮像部３０７からの画像で確認するものであり、例えば図２に示したＣＰＵ２０１、ＲＯＭ２０２、及びＲＡＭ２０３ａによって実現される。
【０１３７】  操作表示部３３１は、システムの操作及び動作状態を表示するものであり、エラー表示、エラー発生個所、エラー原因、エラー対処法等が表示される。操作表示部３３１は、例えば図２に示した操作表示回路２４１によって実現される。
【０１３８】  第二熱溶着部移動部３３２は、第二熱溶着部加熱部３２８を搬送方向と直交する方向に移動させるものであり、例えば、ギヤヘッド、カップリング、ボールねじ、リニアガイド、及び図２に示した第二ヒーター移動用モーター１４０によって実現される。
【０１３９】  第二切断部移動部３３３は、第二切断部昇降部３２９を搬送方向と直交する方向に移動させるものであり、例えば、ギヤヘッド、カップリング、ボールねじ、リニアガイド、及び図２に示した第二切断部移動用モーター１４１によって実現される。
【０１４０】  第二切断部受移動部３３４は、第二切断部昇降部３２９と同期して第二切断部受を搬送方向と直交する方向に移動させるものであり、例えば、ギヤヘッド、カップリング、ボールねじ、リニアガイド、及び図２に示した第二切断部受移動用モーター１４２によって実現される。
【０１４１】  これら第一熱溶着部昇降部３２４、第一熱溶着部加熱部３２５、第一切断部昇降部３２６、第二熱溶着部昇降部３２７、第二熱溶着部加熱部３２８、第二切断部昇降部３２９、第二熱溶着部移動部３３２、第二切断部移動部３３３、第二切断部受移動部３３４によってシート状部材の上流側及び内容物の搬送方向に対する左右両側を別々に熱溶着し、熱溶着した部分を別々に切断することができるのである。
【０１４２】  ＜動作＞
図４Ａは、図１Ａ及び図１Ｂに示した情報処理システムの動作を説明するためのフローチャートの一例の一部であり、図４Ｂは図４Ａの残りである。
【０１４３】  図５Ａから図５Ｓは、図１Ａ及び図１Ｂに示した情報処理システムの動作中の各部の状態を示す説明図の一例である。
【０１４４】  図４Ａ、図４Ｂに示すフローチャートにおける動作の主体は制御部３１０（図３）である。
【０１４５】  外部の機器から通信部３０１を介して一次元コードもしくは二次元コードのデータを所得すると（ステップＳ１／ＹＥＳ）、一次元コードが表示され、第一搬送部３２１としての第一ベルトコンベア１０１に載置された内容物５１を第二搬送部３２２としての第二ベルトコンベア１０２へ搬送準備する。図５Ａに示すように第一ベルトコンベア１０１の上に内容物５１が載置されている（ステップＳ２）。
【０１４６】  内容物５１上のデータシート５２の一次元コードが読み取り部３０３での読取に成功したか否かを判断する（ステップＳ４）。一次元コードが搬送方向に対して傾斜していても許容範囲内なら読み取り可能であるが、許容範囲外の場合には読み取りできない場合があるためである。
【０１４７】  一次元コードの読み取りに成功すると（ステップＳ４／ＹＥＳ）、内容物５１の荷姿が正常か否か判断する（ステップＳ５）。
【０１４８】  ここで、一次元コードの読み取りに成功しなかったり（ステップＳ４／ＮＯ）、内容物５１の荷姿が異常だったりした場合（ステップＳ５／ＮＯ）、復旧するまで搬送停止／パトライト１３０が点灯／操作表示部１６０に表示されることになり、操作表示部３３１に表示される（ステップＳ３）。
【０１４９】  内容物５１の荷姿が正常の場合（ステップＳ５／ＹＥＳ）、第二搬送部３２２としての第二ベルトコンベア１０２で内容物５１の後端部が図５Ｂ、図５Ｃに示すように第一熱溶着位置Ｐ１まで搬送される（ステップＳ６）。
【０１５０】  内容物５１を覆うシート状部材６１ｕ、６１ｄの後端側に第一熱溶着部加熱部３２５が第一熱溶着部昇降部３２４で降下されて図５Ｄに示すように熱溶着され、熱溶着後第一熱溶着部加熱部３２５が第一熱溶着部昇降部３２４で図５Ｅに示すように上昇される（ステップＳ７）。
【０１５１】  第一熱溶着部が第一熱溶着部昇降部３２４で上昇され、第二搬送部３２２としての第二ベルトコンベア１０２で内容物５１が図５Ｆに示すように熱溶着部の半分の長さだけ搬送される。これは熱溶着部の中央となる切断位置Ｐ２で切断されるためである（ステップＳ８）。
【０１５２】  内容物５１を覆うシート状部材６１ｕ、６１ｄの後端部に第一切断部が第一切断部昇降部３２６で降下されて図５Ｇに示すように切断される（ステップＳ９）。
【０１５３】  第二搬送部３２２としての第二ベルトコンベア１０２で内容物５１が、切断されたシート状部材６１ｕ、６１ｄごと第二熱溶着位置Ｐ３まで搬送される（ステップＳ１０）。
【０１５４】  内容物５１を覆うシート状部材６１ｕ、６１ｄの両側に第二熱溶着部１１６ａ、１１６ｂが第二熱溶着部昇降部３２７で降下されて図５Ｈ、図５Ｉ、図５Ｊに示すように熱溶着される（ステップＳ１１）。
【０１５５】  第二熱溶着部１１６ａ、１１６ｂが第二熱溶着部昇降部３２７で上昇され、第二切断部１１６ａ、１１６ｂが第二切断部昇降部３２９で降下されて内容物５１の両側の余分な熱溶着部が切断されて梱包体５３が形成される（ステップＳ１２）。
【０１５６】  梱包体５３の荷姿が正常でない場合（ステップＳ１３／ＮＯ）、復旧まで搬送停止／パトライト点灯／操作表示部１６０の表示となり（ステップＳ１４）、梱包体５３の荷姿が正常な場合（ステップＳ１３／ＹＥＳ）、第三搬送部３２３で梱包体５３が印刷物貼付け位置Ｐ５に搬送される。印刷部３０４で印刷された移動先表示シート５４が図５Ｌに示すように掃出部１２１から移動先表示シート５４が掃出され、図５Ｍに示す吸着部１２３に吸着され、コード読取データを印刷した印刷物としての移動先表示シート５４が図５Ｎに示すように梱包体５３に貼り付けられる（ステップＳ１５）。
【０１５７】  図５Ｏに示すように梱包体５３から吸着部１２３が上昇し、梱包体５３に移動先表示シート５４が貼り付けられる。
【０１５８】  印刷物である移動先表示シート５４の貼付けに成功したか否かを判断する。判断には撮像部３０７で撮像画像を解析することで判断される（ステップＳ１６）。
【０１５９】  印刷物としての移動先表示シート５４の貼付けに成功しなかった場合（ステップＳ１６／ＮＯ）、復旧まで搬送停止／パトライト点灯／操作表示部１６０の表示がなされ（ステップＳ７）、印刷物の貼付けに成功した場合（ステップＳ１６／ＹＥＳ）、第三搬送部３２３としての第三ベルトコンベア１０３で梱包体５３が図５Ｐに示す押圧位置Ｐ６まで搬送され、図５Ｑに示すように押圧部３０８の押圧部材１２６で押圧される（ステップＳ１８）。
【０１６０】  図５Ｒに示すように第三搬送部３２３としての第三ベルトコンベア１０３で梱包体５３が収容部１２８に向けて搬送され、図５Ｓに示すように梱包体５３が傾斜トレー１２７上を滑り、収容部１２８に収容される（ステップＳ１９）。
【０１６１】  梱包作業が終了される場合（ステップＳ２０／ＹＥＳ）は終了し、梱包作業が継続される場合（ステップＳ２０／ＮＯ）、ステップＳ１に戻る。
【０１６２】  以上において、本実施形態によれば、内容物を梱包する際に２種類の異なる熱溶着シートを用いることで、梱包体の表裏両面に異なる画像を印刷することを可能とし、内容物が異なっていても自動的に移動先を指定することを可能とし、ガセットを形成する工程を不要とすることができる。
【０１６３】＜第二の実施の形態＞
＜構成＞
＜概念図＞
第二の実施の形態について図面を参照して説明する。図６Ａは、本発明に係る情報処理システムの概念を説明するための平面図の一例であり、図６Ｂは、図６Ａの正面図である。
【０１６４】  図６Ａ、図６Ｂに示した実施の形態の図１Ａ、図１Ｂに示した実施の形態との相違点は、図１Ａ、図１Ｂに示した実施の形態における切断手段が、シート状部材の上流側及び内容物の搬送方向に対する左右両側を別々に切断するようにしたのに対し、図６Ａ、図６Ｂに示した実施の形態における切断手段が、シート状部材の上流側及び内容物の搬送方向に対する左右両側を同時に切断するようにした点である。以下、同様の部材には共通の符号を用いる。
【０１６５】  図６Ａ、図６Ｂにおける第一搬送系Ｐａ及び第三搬送系Ｐｃは、図１Ａ、図１Ｂに示した第一搬送系Ｐａ及び第三搬送系Ｐｃと同様の構造のため、説明を省略する。
【０１６６】  図６Ａ、図６Ｂにおける第二搬送系Ｐｂは、第二ベルトコンベア１０２と、第二ベルトコンベア１０２上の上流側（図６Ａ、図６Ｂでは左側）に下流側に開口するように配置された略コの字平面形状の溶着部１１２０と、溶着部１１２０を昇降させる昇降部材１１５ａｄ、１１５ｂｄと、第二ベルトコンベア１０２上の下流側（図６Ａ、図６Ｂでは右側）に下流側に開口するように配置された略コの字平面形状の歯受け１１７と、歯受け１１７上に下流側に開口するように配置され略コの字平面形状の切断部１１３０と、切断部１１３０を昇降させる昇降部材１１６ａｄ、１１６ｂｄと、を有する。歯受け１１７の真下を第二ベルトコンベア１０２の上側のベルトが移動するようになっている。
【０１６７】  切断部１１３０及び歯受け１１７の角部及び端部は湾曲していてもよい。内容物５１の切断部が湾曲することにより内容物５１の角によるケガの発生が防止される。
【０１６８】＜ハードウェアブロック＞
図７は、図６Ａ、図６Ｂに示した情報処理システムのハードウェアブロック図の一例である。
【０１６９】  図７に示したハードウェアブロック図と図２に示したハードウェアブロック図との相違点は、図２に示した第一ヒーター昇降機用モーター２２７、昇降部１１３ａ、第一ヒーター駆動回路２２９、第一溶着部１１２、第一切断部昇降機用モーター２３２、切断部１１３、第二ヒーター昇降機構用モーター２３４、昇降部材１１５ａｄ、１１５ｂｄ、第二ヒーター駆動回路２３５、第二溶着部１１５ａ、１１５ｂ、第二切断部昇降機用モーター２３８、切断部１１６ａ、１１６ｂ、第二ヒーター移動用モーター１４０、第二切断部移動用モーター１４１、及び第二切断部受け移動用モーター１４２の代わりに、ヒーター昇降機構用モーター２２７０、昇降部１１３０ａ、ヒーター駆動回路２２９０、溶着部１１２０、切断部昇降機用モーター２３２０、及び切断部１１３０が用いられ、簡素化されている点である。
【０１７０】＜機能ブロック＞
図８は、図６Ａ、図６Ｂに示した情報処理システムの機能ブロック図の一例である。
【０１７１】  図８に示した機能ブロック図と図３に示した機能ブロック図との相違点は、図３に示した制御部３１０、第一熱溶着部昇降部３２４、第一熱溶着部加熱部３２５、第一切断部昇降部３２６、第二熱溶着部移動部３２７、第二熱溶着部加熱部３２８、第二切断部昇降部３２９、及び第二切断部受け移動部３３４の代わりに、制御部３１００、内容物熱溶着部昇降部３２４０、内容物熱溶着部加熱部３２５０、及び切断部昇降部３２６０が用いられている点である。
【０１７２】  これら第一熱溶着部昇降部３２４、第一熱溶着部加熱部３２５、第一切断部昇降部３２６、第二熱溶着部移動部３２７、第二熱溶着部加熱部３２８、第二切断部昇降部３２９、及び第二切断部受け移動部３３４の代わりに、制御部３１００、内容物熱溶着部昇降部３２４０、内容物熱溶着部加熱部３２５０、及び切断部昇降部３２６０によって、シート状部材の上流側及び内容物の搬送方向に対する左右両側を同時に熱溶着し、熱溶着した部分を同時に切断することができるのである。
【０１７３】＜動作＞
図９Ａは、図６Ａ、図６Ｂに示した情報処理システムの動作を説明するためのフローチャートの一例の一部であり、図９Ｂは、図９Ａの残りである。
【０１７４】  図１０Ａから図１０Ｈは、図６Ａ及び図６Ｂに示した情報処理システムの動作中の各部の状態を示す説明図の一例である。
【０１７５】  図９Ａ、図９Ｂに示すフローチャートにおける動作の主体は制御部３１００（図８参照）である。
【０１７６】  外部の機器から通信部３０１を介して一次元コードもしくは二次元コードのデータを所得すると（ステップＳ３１／ＹＥＳ）、一次元コードが表示され、第一搬送部３２１としての第一ベルトコンベア１０１に載置された内容物５１を第二搬送部３２２としての第二ベルトコンベア１０２へ搬送準備する。図１０Ａに示すように第一搬送部３２１としての第一ベルトコンベア１０１の上に内容物５１が載置されている（ステップＳ３２）。
【０１７７】  内容物５１上のデータシート５２の一次元コードが読み取り部３０３での読取に成功したか否かを判断する（ステップＳ３４）。
【０１７８】  一次元コードの読み取りに成功すると（ステップＳ３４／ＹＥＳ）、内容物５１の荷姿が正常か否か判断する（ステップＳ３５）。
【０１７９】  ここで、一次元コードの読み取りに成功しなかったり（ステップＳ３４／ＮＯ）、内容物５１の荷姿が異常だったりした場合（ステップＳ３５／ＮＯ）、復旧するまで搬送停止／パトライト１３０が点灯／操作表示部１６０に表示されることになり、操作表示部３３１に表示される（ステップＳ３３）。
【０１８０】  内容物５１の荷姿が正常の場合（ステップＳ３５／ＹＥＳ）、第二搬送部３２２としての第二ベルトコンベア１０２で内容物５１の後端部が図１０Ｂ、図１０Ｃに示すように溶着位置Ｐ１１まで搬送される（ステップＳ３６）。
【０１８１】  内容物５１を覆うシート状部材６１ｕ、６１ｄの後端側（上流側）及び搬送方向に対する左右両側に溶着部１１２０が昇降部材１１５ａｄ、１１５ｂｄで降下されて図１０Ｄに示すようにシート状部材６１ｕ、６１ｄの後端側及び搬送方向に対する左右両側が同時に熱溶着される（ステップＳ３７）。
【０１８２】  図１０Ｅに示すように溶着部１１２０が昇降部材１１５ａｄ、１１５ｂｄで上昇され、第二搬送部３２２としての第二ベルトコンベア１０２で内容物５１が図１０Ｆに示すように熱溶着部の略半分の長さだけ搬送される。これは熱溶着部の中央となる切断位置Ｐ１２で切断されるためである（ステップＳ３８）。
【０１８３】  内容物５１を覆うシート状部材６１ｕ、６１ｄの後端部及び搬送方向に対する左右両側に切断部１１３０が昇降部材１１６ａｄ、１１６ｂｄで降下されて図１０Ｇに示すように切断位置Ｐ１２にてシート状部材６１ｕ、６１ｄの後端側及び搬送方向に対する左右両側が同時に切断されて梱包体５３となる（ステップＳ３９）。
【０１８４】  図１０Ｈに示すように切断部１１３０が昇降部材１１６ａｄ、１１６ｂｄで上昇され、梱包体５３が搬送可能な状態となり、梱包体５３の荷姿が正常か否か判断され（ステップＳ４０）、荷姿が正常でない場合（ステップＳ４０／ＮＯ）、例えば内容物５１が斜めになっていたり、シート状部材６１ｕ、６１ｄにバリが発生したりしていた場合には切断部１１３０を交換したり、内容物５１を梱包しなおしたりするなどの復旧まで搬送が停止され、パトライトが点灯し、モニタに表示される（ステップＳ４４）。
【０１８５】  図１０Ｉに示すように梱包体５３の荷姿が正常な場合（ステップＳ４０／ＹＥＳ）、第三搬送部３２３としての第三ベルトコンベア１０３で梱包体５３が印刷物貼り付け位置Ｐ１３に搬送されて印刷物が貼り付けられる（ステップＳ４２）。
【０１８６】  印刷物の貼付けに成功したか否かが判定され（ステップＳ４３）、成功でない場合（ステップＳ４３／ＮＯ）、復旧まで搬送停止、パトライト点灯、モニタ表示が行われる（ステップＳ４４）。
【０１８７】  印刷物の貼付けに成功すると（ステップＳ４３／ＹＥＳ）、第三搬送部３２３としての第三ベルトコンベア１０３で梱包体５３が押圧位置Ｐ１４まで搬送され、押圧位置Ｐ１４で押圧部３０８の押圧部材１２６で押圧される（ステップＳ４５）。
【０１８８】  第三搬送部３２３としての第三ベルトコンベア１０３で梱包体５３が収容部側に搬送され（ステップＳ４７）、終了し（ステップＳ４７／ＹＥＳ）、終了でない場合（ステップＳ４７／ＮＯ）、ステップＳ３１に戻る。
【０１８９】  ＜プログラム＞
以上で説明した本発明に係る情報処理システムは、コンピュータで処理を実行させる制御プログラムによって実現されている。コンピュータとしては、例えばパーソナルコンピュータやワークステーションなどの汎用的なものが挙げられるが、本発明はこれに限定されるものではない。よって、一例として、プログラムにより本発明の機能を実現する場合の説明を以下で行う。
【０１９０】  例えば、
内容物に表記された一次元コードもしくは二次元コードを読み取って得られた移動先を梱包体に印刷するコンピュータ読み取り可能なプログラムであって、前記コンピュータに、一次元コードもしくは二次元コードのデータを受信する第一の機能と、内容物に一次元コードもしくは二次元コードを表示する第二の機能と、表示された前記一次元コードもしくは二次元コードを読み取る第三の機能と、上方のロールから引き出された前記シート状部材の下端と下方のロールから引き出された前記シート状部材の上端とが接続された前記シート状部材に当接した状態で搬送されると、前記内容物を覆う前記シート状部材の上流側及び前記内容物の搬送方向に対する両側の前記シート状部材を別々に熱溶着することで前記内容物を梱包する第四の機能と、前記シート状部材で梱包された内容物の搬送方向の後端側の熱溶着部の長い方の中心線及び両側のシート状部材の熱溶着部の長い方の中心線を別々に切断する第五の機能と、前記余分な箇所が切り捨てられた梱包体に移動先が印刷されたシール状部材を貼り付ける第六の機能と、前記データに基づく移動先が前記梱包体に印刷されたか否か、前記梱包体の荷姿が正常か否かを撮像する第七の機能と、前記一次元コードもしくは二次元コードに基づく移動先を印刷したか否かを確認する第八の機能と、前記梱包体の大きさを測定し、測定結果を外部の機器に請求費用のデータを送る第九の機能と、前記外部の機器で前記撮像された画像を視聴可能とする第十の機能と、を実行させるためのコンピュータ読み取り可能なプログラム、
あるいは、
内容物に表記された一次元コードもしくは二次元コードを読み取って得られた移動先を梱包体に印刷するコンピュータ読み取り可能なプログラムであって、前記コンピュータに、一次元コードもしくは二次元コードのデータを受信する第一の機能と、内容物に一次元コードもしくは二次元コードを表示する第二の機能と、表示された前記一次元コードもしくは二次元コードを読み取る第三の機能と、上方のロールから引き出された前記シート状部材の下端と下方のロールから引き出された前記シート状部材の上端とが接続された前記シート状部材に当接した状態で搬送されると、前記内容物を覆う前記シート状部材の上流側及び前記内容物の搬送方向に対する左右両側の前記シート状部材を同時に熱溶着することで前記内容物を梱包する第四の機能と、前記シート状部材で梱包された内容物の搬送方向の後端側の熱溶着部の長い方の中心線及び前記内容物の搬送方向に対する左右両側のシート状部材の熱溶着部の長い方の中心線を同時に切断する第五の機能と、前記余分な箇所が切り捨てられた梱包体に移動先が印刷されたシール状部材を貼り付ける第六の機能と、前記データに基づく移動先が前記梱包体に印刷されたか否か、前記梱包体の荷姿が正常か否かを撮像する第七の機能と、前記一次元コードもしくは二次元コードに基づく移動先を印刷したか否かを確認する第八の機能と、前記梱包体の大きさを測定し、測定結果を外部の機器に請求費用のデータを送る第九の機能と、前記外部の機器で前記撮像された画像を視聴可能とする第十の機能と、を実行させるためのコンピュータ読み取り可能なプログラムが挙げられる。
【０１９１】  このようなプログラムは、コンピュータに読み取り可能な記録媒体に記憶されていてもよい。
【０１９２】  ＜記憶媒体＞
ここで、記憶媒体としては、例えばＣＤ−ＲＯＭ、フレキシブルディスク（ＦＤ）、ＣＤ−Ｒ等のコンピュータで読み取り可能な記憶媒体、フラッシュメモリ、ＲＡＭ、ＲＯＭ、ＦｅＲＡＭ等の半導体メモリやＨＤＤが挙げられる。
【０１９３】  ＣＤ−ＲＯＭは、Ｃｏｍｐａｃｔ−Ｄｉｓｃ−Ｒｅａｄ  Ｏｎｌｙ  Ｍｅｍｏｒｙの略である。フレキシブルディスクは、Ｆｌｅｘｉｂｌｅ  Ｄｉｓｃ：ＦＤを意味する。ＣＤ−Ｒは、Ｃｏｍｐａｃｔ−Ｄｉｓｃ−Ｒｅｃｏｒｄａｂｌｅの略である。ＦｅＲＡＭは、Ｆｅｒｒｏｅｌｅｃｔｒｉｃ  Ｒａｎｄｏｍ  Ａｃｃｅｓｓ  Ｍｅｍｏｒｙの略で、強誘電体メモリを意味する。
【０１９４】  尚、上述した実施の形態は、本発明の好適な実施の形態の一例を示すものであり、本発明はそれに限定されることなく、その要旨を逸脱しない範囲内において、種々変形実施が可能である。
【０１９５】  上述した実施の形態では、熱溶着部に付着した樹脂については言及していないが、例えば、エアーで吹き飛ばしたり、回転ローラーで除去したり、摺動ブラシやスキージーで除去したりしてもよい。
【０１９６】  次に、本発明の第十一の態様の小型物品の梱包装置の実施形態を説明する。これまでと共通する部分の説明は省略し、また、同一構成要素には、同一部番を付して、図中及び本文中にて説明する。
【０１９７】  図１１は本発明の第十一の態様の一実施形態の構成の正面図である。第一の搬送手段である第一ベルトコンベア１０１、第二の搬送手段Ａである第二ベルトコンベヤＡ１０２Ａ、第二の搬送手段Ｂである第二ベルトコンベヤＢ１０２Ｂ、第一ベルトコンベヤ１０１と第二ベルトコンベヤＡ１０２Ａとの間を通過するシート状部材６１（上方側を６１ｕ、下方側を６１ｄ）を有する。
【０１９８】  次に、第二ベルトコンベヤＡ１０２Ａの上に設けた第一の熱溶着手段である第一熱溶着部１１２と第一の切断手段である第一切断部１１３、第二ベルトコンベヤＢ１０２Ｂの上に設けた第二の熱溶着手段である第二熱溶着部１１５と第二の切断手段である第二切断部１１６を有する。
【０１９９】  更に、シート状部材６１の両脇部分を把持し、把持した状態で搬送方向に牽引可能な第一の把持牽引手段１９１を有する。
【０２００】  ここで、第一の把持牽引手段１９１の起点は第二ベルトコンベヤＡ１０２Ａの搬送方向の後端部の位置、終点は第二ベルトコンベヤＡ１０２Ａにおいて内容物をシート状部材６１で覆った状態で、所定の余裕をもって第一熱溶着部１１２と第一切断部１１３とが機能しうる位置とする。
【０２０１】  また、シート状部材６１の両脇部分を把持し、把持した状態で搬送方向に牽引可能な第二の把持牽引手段１９２を有する。
【０２０２】  ここで、第二の把持牽引手段１９２の起点は第一の把持牽引手段１９１の終点と略同じ位置、終点は第二ベルトコンベヤＢ１０２Ｂにおいて内容物をシート状部材６１で覆った状態で、第二熱溶着部１１５と第一切断部１１６とが機能しうる位置とする。
【０２０３】  なお、これまでに説明した第一熱溶着部１１２、第一切断部１１３、第二熱溶着部１１５、第二切断部１１６の機構は、先の実施形態で詳述した機構をそのまま、あるいは、設計変更の範囲でアレンジすればよい。
【０２０４】  更に、第一の把持牽引手段１９１、第二の把持牽引手段１９２については、周知のグリップ機構と周知の直線運動機構とを組み合わせればよい。このような機構は特許文献１にも記載があるが、それに限定されるものではない。
【０２０５】  このような構成の第十一の態様の一実施形態の動作を説明する。
【０２０６】  まず、上方のロールから引き出されたシート状部材６１ｕの下端と下方のロールから引き出されたシート状部材６１ｄの上端とが予め接続（熱溶着）された状態で、第一ベルトコンベア１０１が内容物をシート状部材６１に当接させ、更に第二ベルトコンベヤＡ１０２Ａに受け渡すように下流側に搬送する、
【０２０７】  次に、第二ベルトコンベヤＡ１０２Ａが、シート状部材６１が内容物を覆うように下流側に内容物を搬送するとともに、第一の把持牽引手段１９１が、内容物の下流側への搬送に同期して、シート状部材６１の接続された部分を把持して、シート状部材６１が内容物を覆った状態で、シート状部材６１の下流端部が第一熱溶着部１１２の位置に来るように牽引する。
【０２０８】  次に、第一熱溶着部１１２が内容物を覆った状態のシート部材６１の下流側端部を熱溶着し、第一切断部１１３が下流側端部の熱溶着された部分を切断する。
【０２０９】  次に、第二ベルトコンベヤＡ１０２Ａが、シート状部材６１で覆われた内容物を第二ベルトコンベヤＢ１０２Ｂに送り込むとともに、第二の把持牽引手段１９２が、シート状部材６１で覆われた内容物の下流側への搬送に同期して、シート状部材６１の熱溶着された下流端部（搬送方向先端部）を第二熱溶着部１１５の位置へと牽引する。
【０２１０】  次に、第二熱溶着部１１５が、搬送方向と平行な方向の、内容物より外側の複数のシート状部材６１の重なり部分を熱溶着し、第二切断部１１６が、第二熱溶着部１１５によって溶着されるシート状部材６１の、搬送方向と平行な両側の熱溶着される部分より外側の部分を切断する。
【０２１１】  ここで、第二ベルトコンベヤＡ１０２Ａと第一の把持牽引手段１９１とによるシート状部材６１及びシート状部材６１に突っ込んだ内容物の先端部（下流端部）の位置は、内容物の寸法（長さ）によって定められ、第一熱溶着部１１２の位置が、内容物の後端部（上流端部）より、所定の寸法だけ離れた位置になるようにする。
【０２１２】  同様に、第二ベルトコンベヤＢ１０２Ｂと第二の把持牽引手段１９２とによる内容物を覆ったシート状部材６１の先端部の位置は、内容物の寸法（長さ）によって定められ、第二熱溶着部１１５の位置が、内容物の後端部より、所定の寸法だけ離れた位置になるように決定される。
【０２１３】  なお、第二の把持牽引手段１９２の上流側起点は、第二ベルトコンベヤＡ１０２Ａに食い込んで、第一熱溶着部１１２及び第一切断部１１３によってシート状部材６１の上流側端部（搬送方向後端部）が熱溶着及び切断される位置で、シート状部材６１の下流側端部（搬送方向先端部）を把持できる位置が好ましい。
【０２１４】  また、第一熱溶着部１１２と第一切断部１１３とは、内容物の位置の移動を行わず、同時または後者が若干遅れる程度の時間差で、動作が完了することが、処理能力上、好ましい。
【０２１５】  同様に、第二熱溶着部１１５と第二切断部１１６とも、内容物の位置の移動を行わず、同時または後者が若干遅れる程度の時間差で、動作が完了することが、処理能力上、好ましい。
【０２１６】  このようにすると、各々のステージにおける処理が短時間で完了することに加え、把持牽引部１９１、１９２を設けることで、ベルトなどによる搬送部での滑りや失速の発生を抑え、迅速に、シート状部材またはシート状部材で覆われた内容部を移動することができる。
【０２１７】  更に、把持牽引部１９１、１９２を、２カ所設けて、第一熱溶着部１１２までの牽引と、第一熱溶着部１１２から第二熱溶着部１１５までの牽引とを分離したから、１カ所の場合に比べ、処理能力の大幅向上（タクトタイムの大幅減少）が可能となる。
【０２１８】  なお、これまでに述べた本発明は、小型物品の梱包装置としたが、物品のサイズに限定がある訳ではなく、大型の物品においても、本発明を適用することは可能である。
【産業上の利用可能性】
【０２１９】  本発明に係る小型物品の梱包装置は、工業的に製造することができ、また商取引の対象とすることができるため、経済的価値を有しており、産業上利用することができる発明である。
【符号の説明】
【０２２０】５１・・・  内容物
５２・・・  データシート
５３・・・  梱包体
５４・・・  移動先表示シート
６１ｕ、６１ｄ・・・  シート状部材
６１ｕＬ、６１ｄＬ・・シート状部材ロール
１０１・・・  第一ベルトコンベア
１０２・・・  第二ベルトコンベア
１０３・・・  第三ベルトコンベア
１１１・・・  バーコードリーダー
１１２・・・  第一熱溶着部
１１３・・・  第一切断部
１１５ａ、１１５ｂ・・・  第二熱溶着部
１１６ａ、１１６ｂ・・・  第二切断部
１２０・・・  カメラ
１２１・・・  掃出部
１２６・・・  押圧部
１２８・・・  収容部
１３０・・・  パトライト
１５０・・・  管理サーバー
１６０・・・  操作表示部
３１０、３１００・・・  制御部
３２４０・・・  内容物熱溶着部昇降部
３２５０・・・  内容物熱溶着部加熱部
３２６０・・・  切断部昇降部
【図１Ａ】
2020138803.tif 000003
【図１Ｂ】
2020138803.tif 000004
【図２】
2020138803.tif 000005
【図３】
2020138803.tif 000006
【図４Ａ】
2020138803.tif 000007
【図４Ｂ】
2020138803.tif 000008
【図５Ａ】
2020138803.tif 000009
【図５Ｂ】
2020138803.tif 000010
【図５Ｃ】
2020138803.tif 000011
【図５Ｄ】
2020138803.tif 000012
【図５Ｅ】
2020138803.tif 000013
【図５Ｆ】
2020138803.tif 000014
【図５Ｇ】
2020138803.tif 000015
【図５Ｈ】
2020138803.tif 000016
【図５Ｉ】
2020138803.tif 000017
【図５Ｊ】
2020138803.tif 000018
【図５Ｋ】
2020138803.tif 000019
【図５Ｌ】
2020138803.tif 000020
【図５Ｍ】
2020138803.tif 000021
【図５Ｎ】
2020138803.tif 000022
【図５Ｏ】
2020138803.tif 000023
【図５Ｐ】
2020138803.tif 000024
【図５Ｑ】
2020138803.tif 000025
【図５Ｒ】
2020138803.tif 000026
【図５Ｓ】
2020138803.tif 000027
【図６Ａ】
2020138803.tif 000028
【図６Ｂ】
2020138803.tif 000029
【図７】
2020138803.tif 000030
【図８】
2020138803.tif 000031
【図９Ａ】
2020138803.tif 000032
【図９Ｂ】
2020138803.tif 000033
【図１０Ａ】
2020138803.tif 000034
【図１０Ｂ】
2020138803.tif 000035
【図１０Ｃ】
2020138803.tif 000036
【図１０Ｄ】
2020138803.tif 000037
【図１０Ｅ】
2020138803.tif 000038
【図１０Ｆ】
2020138803.tif 000039
【図１０Ｇ】
2020138803.tif 000040
【図１０Ｈ】
2020138803.tif 000041
【図１０Ｉ】
2020138803.tif 000042
【図１１】
2020138803.tif 000043